(57)【要約】【課題】  ユーザにとって利便性の高いスケジュール表示システムを提供すること。【解決手段】  スケジュールデータを記憶したスケジュール記憶手段２２と、スケジュールデータを表示する表示手段４０と、この表示手段４０へのスケジュールデータの表示状態を制御する制御手段１０と、を備えたスケジュール表示システムであって、スケジュールデータの検索条件が記憶された検索条件記憶手段２１を備えると共に、制御手段１０が、検索条件記憶手段２１に記憶された検索条件に対応するスケジュールデータをスケジュールデータ記憶手段２２内から検索する検索手段１２と、この検索されたスケジュールデータを表示手段４０に表示する表示制御手段１３と、を備えた。【選択図】図１
2006202183.tif 000002
【特許請求の範囲】
【請求項１】
スケジュールデータを記憶したスケジュール記憶手段と、
前記スケジュールデータを表示する表示手段と、
この表示手段への前記スケジュールデータの表示状態を制御する制御手段と、を備えたスケジュール表示システムであって、
前記スケジュールデータの検索条件が記憶された検索条件記憶手段を備えると共に、
前記制御手段が、前記検索条件記憶手段に記憶された前記検索条件に対応する前記スケジュールデータを前記スケジュール記憶手段内から検索する検索手段と、この検索されたスケジュールデータを前記表示手段に表示する表示制御手段と、を備えた、
ことを特徴とするスケジュール表示システム。
【請求項２】
前記検索条件の入力を受け付けて当該検索条件を前記検索条件記憶手段に記憶する検索条件受付手段を備えた、ことを特徴とする請求項１記載のスケジュール表示システム。
【請求項３】
前記検索条件は、前記スケジュールデータの内容のうち少なくとも一部を表す情報である、ことを特徴とする請求項１又は２記載のスケジュール表示システム。
【請求項４】
前記検索条件は、前記スケジュールデータに含まれる文字列を表す情報である、ことを特徴とする請求項３記載のスケジュール表示システム。
【請求項５】
前記検索条件は、前記スケジュールデータのスケジュール日程を表す情報である、ことを特徴とする請求項３又は４記載のスケジュール表示システム。
【請求項６】
前記検索手段は、予め設定されたタイミングで作動する、ことを特徴とする請求項１，２，３，４又は５記載のスケジュール表示システム。
【請求項７】
前記検索手段は、時刻を読み出す機能を備えると共に、時刻変化が生じたときに検索を行う、ことを特徴とする請求項６記載のスケジュール表示システム。
【請求項８】
前記検索手段は、時刻を読み出す機能を備えると共に、前記表示制御手段にて表示手段に表示されている前記スケジュールデータの日程情報を読み出し、現在の時刻よりも古い場合に検索を行う、ことを特徴とする請求項６又は７記載のスケジュール表示システム。
【請求項９】
前記検索手段は、スケジュール表示システムが搭載されている機器の動作状況に所定の変化が生じたときに検索を行う、ことを特徴とする請求項６，７又は９記載のスケジュール表示システム。
【請求項１０】
前記表示制御手段は、前記検索手段にて検索された前記スケジュールデータの日程情報に応じて区別して表示する、ことを特徴とする請求項１，２，３，４，５，６，７，８又は９記載のスケジュール表示システム。
【請求項１１】
前記請求項１乃至１０のいずれかに記載にスケジュール表示システムを搭載する情報処理端末。
【請求項１２】
前記請求項１乃至１０のいずれかに記載にスケジュール表示システムを搭載する携帯電話。
【請求項１３】
スケジュールデータを記憶したスケジュール記憶手段と、前記スケジュールデータを表示する表示手段と、この表示手段への前記スケジュールデータの表示状態を制御する制御手段と、前記スケジュールデータの検索条件が記憶された検索条件記憶手段と、を備えた情報処理端末にて、スケジュール表示を行う方法であって、
前記制御手段が、前記検索条件記憶手段に記憶された検索条件を読み出して当該検索条件に対応する前記スケジュールデータを前記スケジュール記憶手段内から検索し、この検索されたスケジュールデータを前記表示手段に表示する、
ことを特徴とするスケジュール表示方法。
【請求項１４】
前記制御手段が、前記入力手段から入力された前記検索条件を受け付けて前記検索条件記憶手段に記憶し、この受け付けられた前記検索条件に基づいて前記検索を行う、ことを特徴とする請求項１３記載のスケジュール表示方法。
【請求項１５】
前記制御手段が、前記検索を予め設定されたタイミングで行う、ことを特徴とする請求項１３又は１４記載のスケジュール表示方法。
【請求項１６】
前記制御手段は、前記検索された前記スケジュールデータの日程情報に応じて区別して表示する、ことを特徴とする請求項１３，１４又は１５記載のスケジュール表示方法。
【請求項１７】
スケジュールデータを記憶したスケジュール記憶手段と、前記スケジュールデータを表示する表示手段と、この表示手段への前記スケジュールデータの表示状態を制御する制御手段と、前記スケジュールデータの検索条件が記憶された検索条件記憶手段と、を備えた情報処理端末の前記制御手段に、
前記検索条件記憶手段に記憶された前記検索条件に対応する前記スケジュールデータを前記スケジュール記憶手段内から検索する検索手段と、この検索されたスケジュールデータを前記表示手段に表示する表示制御手段と、
を実現するためのスケジュール表示用プログラム。
【発明の詳細な説明】
【技術分野】
【０００１】
本発明は、スケジュール表示システムにかかり、特に、情報処理端末にスケジュールを表示するシステムに関する。
【背景技術】
【０００２】
近年の携帯電話の急速な進化により、携帯電話機に搭載される機能及び扱えるデータが多岐にわたってきている。そして、携帯電話機をスケジュール帳の代替ツールとして使用する頻度が高まっている。それに伴い、携帯電話機に搭載されているスケジュール機能も多機能化し、かつ、扱えるデータが大容量化している。
【０００３】
このように機能が発達してきたスケジュール帳としての利用においては、数多くのスケジュールが登録されている中から、ユーザにとって特に必要なスケジュールデータを表示することが望まれている。そして、下記の特許文献１，２には、携帯電話におけるスケジュールデータの表示方法が開示されている。まず、特許文献１には、スケジュールデータ中から当日のデータを検索し、これを待ち受け画面に表示する、という方法が開示されている。また、特許文献２には、スケジュールの時刻となると、スケジュールデータをスクロール表示させると共に、警告音を発する、という方法が開示されている。
【０００４】
【特許文献１】特開２００３−１５２８３０号公報
【特許文献２】特開２００４−３２５９６号公報
【発明の開示】
【発明が解決しようとする課題】
【０００５】
しかしながら、上記従来例におけるスケジュールの表示方法では、当日やまさにそのときのスケジュールが表示されるものの、登録されているスケジュールが無条件に表示されるため、重要でないスケジュールが頻繁に表示される場合には、ユーザにとって煩わしいこともある。そして、ユーザにとっては、特に注意が必要となる重要なスケジュールのみが表示されればよい場合もあるため、任意に表示動作をカスタマイズ可能なスケジュール表示システムが要求される。なお、このことは、携帯電話機に限らず、スケジュール帳としての機能を有するあらゆる情報処理端末においても同様である。
【０００６】
このため、本発明では、上記従来例の有する不都合を改善し、特に、ユーザにとって利便性の高いスケジュール表示システムを提供することをその目的とする。
【課題を解決するための手段】
【０００７】
そこで、本発明の一形態であるスケジュール表示システムは、
スケジュールデータを記憶したスケジュール記憶手段と、
スケジュールデータを表示する表示手段と、
この表示手段へのスケジュールデータの表示状態を制御する制御手段と、を備えたスケジュール表示システムであって、
スケジュールデータの検索条件が記憶された検索条件記憶手段を備えると共に、
制御手段が、検索条件記憶手段に記憶された検索条件に対応するスケジュールデータをスケジュール記憶手段内から検索する検索手段と、この検索されたスケジュールデータを表示手段に表示する表示制御手段と、を備えた、
ことを特徴としている。
【０００８】
上記発明によると、予め重要なスケジュールデータなどに対応する検索条件を設定しておくことにより、この検索条件に対応するスケジュールデータが検索され、表示手段に表示される。従って、ユーザが認識すべきスケジュール内容を容易に確認することができ、利便性の向上を図ることができる。
【０００９】
また、上記構成に加え、検索条件の入力を受け付けて当該検索条件を検索条件記憶手段に記憶する検索条件受付手段を備えた、ことを特徴としている。これにより、ユーザが検索条件を入力して新たに設定、あるいは、変更できるため、ユーザの状況に応じたスケジュール表示が可能となり、さらなる利便性の向上を図ることができる。
【００１０】
また、上記検索条件は、スケジュールデータの内容のうち少なくとも一部を表す情報である、ことを特徴としている。例えば、スケジュールデータに含まれる文字列を表す情報や、スケジュールデータのスケジュール日程を表す情報である。これにより、ユーザは表示すべきスケジュールの検索条件を詳細に設定可能であり、より状況に応じたスケジュール表示を実現できる。
【００１１】
また、検索手段は、予め設定されたタイミングで作動する、ことを特徴としている。例えば、検索手段は、時刻を読み出す機能を備えると共に、時刻変化が生じたときに検索を行う、ことを特徴としている。また、検索手段は、時刻を読み出す機能を備えると共に、表示制御手段にて表示手段に表示されているスケジュールデータの日程情報を読み出し、現在の時刻よりも古い場合に検索を行う、ことを特徴としている。また、検索手段は、スケジュール表示システムが搭載されている機器の動作状況に所定の変化が生じたときに検索を行う、ことを特徴としている。
【００１２】
これにより、表示されるスケジュールが自動的に更新されるため、スケジュールの確認漏れの抑制を図ることができる。そして、特に、機器の動作が変化したときに更新することで、ユーザが機器の状態を確認する際にスケジュールも確認することができ、さらなる利便性の向上を図ることができる。
【００１３】
また、表示制御手段は、検索手段にて検索されたスケジュールデータの日程情報に応じて区別して表示する、ことを特徴としている。これにより、ユーザは、表示されたスケジュールデータを、容易に日程毎に区別して確認することができ、さらなる利便性の向上を図ることができる。
【００１４】
そして、本発明は、上述したスケジュール表示システムを搭載する情報処理端末、特に、携帯電話であることを特徴としている。
【００１５】
また、本発明の他の形態であるスケジュール表示方法は、
スケジュールデータを記憶したスケジュール記憶手段と、スケジュールデータを表示する表示手段と、この表示手段へのスケジュールデータの表示状態を制御する制御手段と、スケジュールデータの検索条件が記憶された検索条件記憶手段と、を備えた情報処理端末にて、スケジュール表示を行う方法であって、
制御手段が、検索条件記憶手段に記憶された検索条件を読み出して当該検索条件に対応するスケジュールデータをスケジュール記憶手段内から検索し、この検索されたスケジュールデータを表示手段に表示する、
ことを特徴としている。
【００１６】
そして、上記制御手段が、入力手段から入力された検索条件を受け付けて検索条件記憶手段に記憶し、この受け付けられた検索条件に基づいて検索を行う、ことを特徴としている。また、制御手段が、検索を予め設定されたタイミングで行う、ことを特徴としている。さらに、制御手段は、検索されたスケジュールデータの日程情報に応じて区別して表示する、ことを特徴としている。
【００１７】
また、本発明の他の形態であるスケジュール表示用プログラムは、
スケジュールデータを記憶したスケジュール記憶手段と、スケジュールデータを表示する表示手段と、この表示手段へのスケジュールデータの表示状態を制御する制御手段と、スケジュールデータの検索条件が記憶された検索条件記憶手段と、を備えた情報処理端末の制御手段に、
検索条件記憶手段に記憶された検索条件に対応するスケジュールデータをスケジュール記憶手段内から検索する検索手段と、この検索されたスケジュールデータを表示手段に表示する表示制御手段と、
を実現するためのスケジュール表示用プログラム、という構成を採っている。
【００１８】
上記構成の方法及びプログラムであっても、上述したスケジュール表示システムと同様に作用するため、上記本発明の目的を達成することができる。
【発明の効果】
【００１９】
本発明は、以上のように構成され機能するので、これによると、ユーザが認識すべきスケジュール内容を容易に確認することができるため、ユーザのスケジュール閲覧の利便性の向上を図ることができる、という従来にない優れた効果を有する。
【発明を実施するための最良の形態】
【００２０】
本発明は、スケジュールデータの中から、予め設定された検索条件に基づいて特定のスケジュールを検索し、これを表示手段に表示する、という点に特徴を有する。以下実施例では、かかる特徴を有するスケジュール表示システムを搭載した携帯電話を一例として挙げて、その構成及び動作を説明する。但し、スケジュール表示システムが搭載される機器は、携帯電話に限定されず、他の携帯型情報処理端末でもよく、また、携帯型でない情報処理端末でもよい。
【実施例１】
【００２１】
本発明の実施例を、図１乃至図５を参照して説明する。図１は、本発明にかかる携帯電話の構成を示す機能ブロック図である。図２は、携帯電話に記憶されている情報の一例を示す説明図である。図３乃至図４は、携帯電話の動作を示すフローチャートである。図５は、携帯電話の画面表示の一例を示す図である。
【００２２】
［構成］
本発明は、管理しているスケジュールデータを表示する機能（スケジュール表示システム）が組み込まれた携帯電話１である。そして、この携帯電話１は、一般的な携帯電話が有する構成を備えており、図１に示すように、ＣＰＵなどの演算装置１０（制御手段）と、ＲＡＭやＲＯＭなどの記憶装置２０（記憶手段）と、テンキーなどの入力部３０（入力手段）と、ディスプレイなどの表示部４０（表示手段）と、スピーカなどの音出力部５０と、を備えている。
【００２３】
そして、記憶装置２０には、携帯電話１のユーザにて登録されたスケジュールデータを記憶するスケジュール記憶部２２（スケジュール記憶手段）と、このスケジュールデータの検索条件が記憶された検索条件記憶部２１（検索条件記憶手段）と、が形成されている。
【００２４】
上記スケジュール記憶部２２には、図２（ａ）に示すように、ユーザにて入力部３０から入力されたスケジュールデータ（２２ａ，２２ｂ，２２ｃ）が登録されており、例えば、スケジュールの日程（「日時」）、スケジュールのカテゴリ（「仕事」、「プライベート」など）、スケジュールの内容（「Ａ会社に営業」などの具体的なスケジュール内容）、といった情報が含まれる。なお、スケジュールに含まれる情報は、上記内容に限定されない。
【００２５】
また、検索条件記憶部２１には、まず、ユーザにて登録された、あるいは、予め設定されている検索範囲２１ａが記憶されている。この検索範囲２１ａとは、例えば、検索するスケジュール日程の範囲（例えば、「本日中のもの」、「本日から１週間」など）を表す情報である。また、検索条件記憶部２１には、ユーザにて設定された検索キーワード２１ｂが記憶されている。この検索キーワード２１ｂとは、例えば、スケジュールの内容の少なくとも一部を表す文字列や、カテゴリの文字列であり、ユーザが特に検索したいスケジュールに含まれていると予想される文字列を表す情報である。具体的には、「Ａ社」に関するスケジュールを検索したいときには、ユーザにて「Ａ社」という検索キーワード２１ｂが登録される。さらに、検索条件記憶部２１には、後述するように、携帯電話１が表示するスケジュールデータの検索を開始するタイミングを表す更新タイミング２１ｃが記憶されている。この更新タイミング２１ｃとは、例えば、時刻（分、時間など）が変化したとき、表示されているスケジュールデータの日程が既に経過しているとき、携帯電話１の動作状況が変化したとき（具体的には、着信があったとき、メールを受信したとき、特定の相手から着信やメールを受信したときなど）、など、ユーザにて指定された、あるいは、初期値として登録されていた所定のタイミングが設定されている。
【００２６】
そして、携帯電話１の演算装置１０には、スケジュール表示用プログラムが組み込まれることで、検索条件設定処理部１１（検索条件受付手段）と、検索処理部１２（検索手段）と、出力制御処理部１３（表示制御手段）と、が構築されている。
【００２７】
上記検索条件設定処理部１１は、ユーザから入力部３０を介して入力される上述した検索条件を受け付けて、この検索条件を検索条件記憶部２１に記憶する。この検索条件設定処理部１１は、常時検索条件を受付可能であり、既に記憶されている検索条件に新たに入力された検索条件を加えるよう設定したり、あるいは、新たに入力された検索条件に全て更新するよう設定する。
【００２８】
また、検索処理部１２は、まず、検索条件記憶部２１に記憶されている更新タイミング２１ｃを読み出し、この設定されているタイミングとなっているか否かを常時調べる。例えば、携帯電話１内のシステムクロックを読み出して時刻情報を取得し、分や時間単位で時刻変化が生じたか否かを調べる。このとき、時刻変化の単位は任意である。あるいは、現在の時刻を読み出すと共に、現在表示されているスケジュールデータの日程の情報を読み出し、これが既に経過したスケジュールでないか否かを調べる。さらには、携帯電話１が設定された動作（着信など）状況となっていないかを調べる。そして、更新タイミング２１ｃとなっていると判断された場合には、スケジュール記憶部２２内から、検索条件に応じたスケジュールを検索して抽出する。具体的には、検索条件記憶部２１から検索範囲２１ａと検索キーワード２１ｂとを読み出して、まず、検索範囲２１ａ内の日程のスケジュールを表すスケジュールデータに検索対象を絞る。そして、これらのスケジュールデータ内から、検索キーワード２１ｂを含むスケジュールデータを特定する。さらに、この特定したスケジュールデータを抽出して、出力制御処理部１３に通知する。
【００２９】
出力制御処理部１３は、上述したように検索され抽出されたスケジュールデータを、表示部１０に表示する。このとき、検索されたスケジュールデータが複数存在する場合には、これらを日程情報に応じて区別して表示する。例えば、図５（ｂ）には、スケジュールデータを矩形表示にて示すが、スケジュールの日程が近い順に重ねて表示する。このとき、重ねられたスケジュールデータの表示順番を、そのスケジュールの日程に合わせて変化させてもよい。例えば、スケジュールの日程の時間になったときに、該当するスケジュールデータを最前面に表示するよう表示制御する。さらには、矩形表示したスケジュールデータの矩形部背景色を、スケジュール通知時刻までの時間に応じて区別して表示し、ユーザに示してもよい。例えば、３０分以内のスケジュールについては赤色、１時間以内のスケジュールについては黄色、２４時間以内のスケジュールについては青色、２４時間以後のスケジュールについては白色、などにように着色して表示する。また、上述したように、新たにスケジュールデータを表示すると共に、音出力部５０からスケジュールデータを表示したことを通知する通知音を発するよう制御する。なお、あるスケジュールの時刻となったときに通知音を発してもよい。
【００３０】
［動作］
次に、上記構成の携帯電話１の動作を、図３乃至図５を参照して説明する。図３は、ユーザが携帯電話１に対してスケジュールの表示設定を行うときの携帯電話１の動作を示すフローチャートである。図４は、検索条件に応じたスケジュールデータの検索を行って表示するときの動作を示すフローチャートである。図５は、携帯電話１の表示部４０に表示される画面の様子を示す図である。
【００３１】
まず、ユーザが携帯電話１の入力部３０を介して操作し、待受画面に対しスケジュールデータの表示を行う設定を有効にするかどうか設定する（ステップＳ１）。そして、スケジュールデータの表示を有効にする旨の設定を行ったときには（ステップＳ１にて肯定判断）、待受画面に表示するスケジュールデータの表示条件、つまり、既に登録されているスケジュールデータからどのデータを表示データとするか、といった検索条件の設定を、入力部３０より行う。具体的には、まず、検索キーワード（文字列）を入力し、設定する（ステップＳ２）。例えば、上述したように、「Ａ社」に対するスケジュールを表示したい場合には、検索キーワードとして「Ａ社」と入力する。続いて、検索するスケジュールデータの日程（設定日）、つまり、日程に関する検索範囲を指定する情報を入力して設定する（ステップＳ３）。例えば、今から一週間のスケジュールを表示したい場合には、一週間後までを検索範囲として指定する旨の情報を入力する。続いて、スケジュールデータを更新して表示するタイミングを入力して設定する（ステップＳ４）。例えば、時刻（時間）が変化したときに更新されることを指定する情報を入力する。なお、この動作例では、時刻が変化したときに現在表示されているスケジュールが古いものであった場合に更新する、という更新タイミングを設定することとする。そして、上記入力された情報は、検索条件記憶部２１に記憶される。
【００３２】
次に、携帯電話１におけるスケジュールデータの表示動作、及び、表示更新動作を、図４乃至図５を参照して説明する。まず、携帯電話１は、常に時刻の変化を検出する（ステップＳ１１）。そして、設定された時刻の変化（１時間経過）が発生した場合に（ステップＳ１１にて肯定判断）、現在待受画面表示されているスケジュールデータの設定日時と現在の時刻との比較を行い、表示の更新が必要かどうかの判断を行う（ステップＳ１２）。つまり、表示されているスケジュールデータが、現在の時刻より古いものである場合、表示の更新が必要と判断し（ステップＳ１２にて肯定判断）、そうでない場合は、表示更新の必要が無いものとする（ステップＳ１２にて否定判断）。ここで、複数のスケジュールデータが表示されている場合に、そのうち１つでも古い場合には、更新が必要であると判断する。但し、かかる設定は任意である。
【００３３】
続いて、表示データの更新が必要と判断された場合（ステップＳ１２にて肯定判断）、表示更新の為のスケジュールデータ検索を行うべく、検索条件記憶部２１から検索条件、つまり、検索範囲２１ａと検索キーワード２１ｂとを読み出す（ステップＳ１３）。そして、この検索条件に対応するスケジュールデータを、スケジュール記憶部２２から検索する（ステップＳ１４）。具体的には、検索範囲２１ａにて指定されている日程のスケジュールデータの中から、検索キーワード２１ｂが含まれているスケジュールデータを検索して、抽出する。
【００３４】
続いて、抽出されたスケジュールデータの表示更新処理を行う（ステップＳ１５）。更新中には、図５（ａ）に示すように、携帯電話１の表示部４０には「更新中」を表す表示がなされ、その後、図５（ｂ）の矩形表示にて示すように、更新されたスケジュールデータが表示される。なお、この図に示すように、表示するスケジュールデータが複数ある場合には、複数のデータが重なって表示される。このとき、直近のスケジュールデータが最全面に位置するよう表示される。なお、この重なって表示されているスケジュールデータは、入力部３０にて操作することにより、その表示順序を変えることができ、隠れているスケジュールデータも閲覧できるよう表示することができる。ここで、スケジュールデータの表示は、上述したように、スケジュール通知時刻までの時間に応じて、その表示色を区別するなどして表示してもよい。
【００３５】
また、スケジュールデータの更新時には、音出力部５０から表示データを更新したことを通知する更新通知音が鳴動される（ステップＳ１６）。なお、スケジュールを確認したユーザは、所定の操作をすることにより、図５（ｃ）に示すように、スケジュールデータをアイコン表示化（星印のアイコン参照）することができる。このアイコン表示があるときは、通知すべきスケジュールデータ存在するときであるので、所定の操作することで、スケジュールデータを表示することができる。
【００３６】
このように、ユーザは、予め重要なスケジュールデータなどに対応する検索条件を設定しておくことにより、この検索条件に対応するスケジュールデータが抽出され、表示手段に表示される。従って、ユーザが認識すべきスケジュール内容を容易に確認することができ、利便性の向上を図ることができる。
【００３７】
そして、その後、表示したいスケジュールデータを変更する場合には、検索条件を変更設定すればよい。これにより、ユーザの状況に応じたスケジュール表示が可能となり、さらなる利便性の向上を図ることができる。
【産業上の利用可能性】
【００３８】
本発明であるスケジュール表示システムは、携帯電話のスケジュール機能に組み込むことができるため、産業上の利用可能性を有する。
【図面の簡単な説明】
【００３９】
【図１】スケジュール表示システムが組み込まれた携帯電話の構成を示す機能ブロック図である。
【図２】携帯電話に記憶された情報の一例を説明する図である。図２（ａ）は、スケジュール記憶部２２に記憶されている情報の一例を示し、図２（ｂ）は、検索条件記憶部２１に記憶されている情報の一例を示す。
【図３】携帯電話の動作を示すフローチャートであり、検索条件を登録する際の動作を示す。
【図４】携帯電話の動作を示すフローチャートであり、スケジュールデータの検索、表示動作を示す。
【図５】携帯電話の表示部に表示される画面の一例を示す図である。図５（ａ）は、スケジュールデータの表示を更新しているときの画面を示し、図５（ｂ）は、スケジュールデータを表示したときの画面を示す。また、図５（ｃ）は、スケジュールデータを表示したときの変形例を示す。
【符号の説明】
【００４０】
１  携帯電話（スケジュール表示システム、情報処理端末）
１０  演算装置
１１  検索条件設定処理部（検索条件受付手段）
１２  検索処理部（検索手段）
１３  出力制御処理部（表示制御手段）
２０  記憶装置
２１  検索条件記憶部（検索条件記憶手段）
２２  スケジュール記憶部（スケジュール記憶手段）
３０  入力部
４０  表示部（表示手段）
５０  音出力部
２１ａ  検索範囲（検索条件）
２１ｂ  検索キーワード（検索条件）
２１ｃ  更新タイミング
２２ａ，２２ｂ，２２ｃ  スケジュール（スケジュールデータ）
【図１】
2006202183.tif 000003
【図２】
2006202183.tif 000004
【図３】
2006202183.tif 000005
【図４】
2006202183.tif 000006
【図５】
2006202183.tif 000007